(57)【要約】【課題】被梱包物のコーナー部を保護することができ、簡単な構造で組み立て易く、材料取りも効率的に行われるようになる梱包用緩衝材を提供する。【解決手段】梱包箱Ａと被梱包物Ｂとの各コーナー部間に介在される梱包用緩衝材Ｃであって、被梱包物Ｂの隣り合う二つの外側面１に当接する略Ｌ字状の対向部２と、この対向部２に同被梱包物Ｂの隣り合う二つの外側面１間で跨がる切溝３を設け、この切溝３よりも上側の部分を内方へ折曲突出してその下端縁が同被梱包物Ｂの上面４に当接する押え部５と、対向部２及び押え部５の両側から延出してその各先端が梱包箱Ａの隣り合う二つの内側面６に当接する一対の延出部７と、押え部５の両側の上端縁から折曲して同梱包箱Ａの隣り合う二つの内側面６へ向かい延出し、その各先端が同二つの内側面６に当接するよう上下に重ね合わされる一対の蓋部８と、を一枚の厚紙で折曲形成した。【選択図】　　　　　図１
2004051151.tif 000002
【特許請求の範囲】
【請求項１】
梱包箱内に収納される被梱包物を保護するためにこの被梱包物の各コーナー部と同梱包箱の各コーナー部との間に介在される梱包用緩衝材であって、被梱包物のコーナー部に沿うように折曲形成されて同被梱包物の隣り合う二つの外側面に当接する略Ｌ字状の対向部と、この対向部に同被梱包物の隣り合う二つの外側面間で跨がる切溝を設け、この切溝よりも上側の部分を内方へ折曲突出してこの折曲突出した部分の下端縁が同被梱包物の上面に当接する押え部と、前記対向部及び押え部の両側から梱包箱の隣り合う二つの内側面へ向かい延出してその各先端が同二つの内側面に当接する一対の延出部と、前記押え部の両側の上端縁から折曲して梱包箱の隣り合う二つの内側面へ向かい延出し、その各先端が同二つの内側面に当接するよう上下に重ね合わされる一対の蓋部と、を一枚の厚紙で折曲形成してなる梱包用緩衝材。
【請求項２】
一対の蓋部が上下に重ね合わされた状態で相互に係止する係合部を両蓋部の端縁部分に配設形成したことを特徴とする請求項１記載の梱包用緩衝材。
【請求項３】
蓋部の端縁部分に一対の切り込みを形成し、この両切り込み間の部分を折曲して係合部を形成したことを特徴とする請求項２記載の梱包用緩衝材。
【請求項４】
両切り込み間の巾寸法を蓋部の端縁側程巾広く形成したことを特徴とする請求項３記載の梱包用緩衝材。
【請求項５】
対向部の中程折曲部分に梱包箱の隣り合う二つの内側面へ向かい突出する位置決め片を切り起こし形成して、この位置決め片の突出寸法を延出部の延出寸法と略等しくしたことを特徴とする請求項１〜４のいずれか一つに記載の梱包用緩衝材。
【請求項６】
対向部の中程折曲部分の一方側の上端縁及び他方側の下端縁から各々縦溝を形成し、この両縦溝の先端から同中程折曲部分にまで至る横溝を各々形成して、同縦溝と横溝とで囲まれる部分を切り起こして位置決め片を形成したことを特徴とする請求項５記載の梱包用緩衝材。
【発明の詳細な説明】
【０００１】
【発明の属する技術分野】
本発明は、被梱包物の各コーナー部と梱包箱の各コーナー部との間に介在配設されて、同被梱包物を衝撃から保護する梱包用緩衝材に関するものである。
【０００２】
【従来の技術】
一般に、梱包箱内に被梱包物を収納する場合、外部の衝撃からこの被梱包物を保護するために、同梱包箱と被梱包物との間に緩衝材が介在配設される。その従来例として、特開平１１−４９２４０号公報に示されるような緩衝材が知られている。この従来例の緩衝材は、梱包箱の内側面と被梱包物の外側面との間に、厚紙を略筒状となるように折り返した折り返し部が位置するよう構成されて、同梱包箱と被梱包物との間の間隔が広くなることにより、落下時等の強い衝撃に対しても被梱包物の損傷を少なくしている。
【０００３】
しかしながら、被梱包物において、外部からの衝撃に対し最も弱い部分は、各コーナー部であり、前記従来例の緩衝材では、梱包箱の各コーナー部に外部から強い衝撃が加わった場合、この梱包箱の各コーナー部が凹んで同衝撃が被梱包物にまで直接に及んでしまい、被梱包物が損傷してしまう恐れがあるという問題があった。
【０００４】
そこで、前記従来例の緩衝材での問題を解決するものとして、本出願人は、特開２００１−６３７６４号公報に示すような緩衝材を提案している。この緩衝材は、「梱包箱に収納した被梱包物を保護するために梱包箱の各コーナー部と被梱包物の各コーナー部との間に各々介在させる緩衝材であって、前記被梱包物のコーナー部に沿って折曲形成されて被梱包物の隣合う２つの側面に当接する略Ｌ字状の対向部と、この対向部に被梱包物の隣合う２つの側面間で跨る切溝を設け、この切溝より上部を被梱包物方向に折曲して該折曲した下端が被梱包物の上面に当接する押え部と、前記対向部及び押え部の両側から梱包箱の隣合う２つの側面まで該２つの側面に対して略垂直に延出させた一対の延出片及びこの一対の延出片から梱包箱の２つの側面に沿って梱包箱のコーナー部まで延出した一対の折返片を有し前記対向部及び押え部とともに略筒状に折曲形成された折返部と、一方の折返片の梱包箱におけるコーナー部側の一端から延出して対向部のコーナー部に当接する変形防止部とを一枚の厚紙により折曲形成したことを特徴とする」ものである。
【０００５】
したがって、この緩衝材においては、「折返部が対向部及び押え部とともに略筒状に折曲形成され、折返部の一方の折返片の梱包箱におけるコーナー部側の一端から延出して対向部のコーナー部に当接する変形防止部を有しているので、梱包箱の各コーナー部に強い衝撃が加わっても、変形防止部により梱包箱の各コーナー部の変形を防止でき、被梱包物の各コーナー部への衝撃の影響が減少し、被梱包物が損傷しにくくなる」という効果が奏されるものである。
【０００６】
【発明が解決しようとする課題】
しかしながら、上記従来の技術の特開２００１−６３７６４号公報に示された緩衝材にあっては、一対の延出片から両側へ延出される折返片が形成され、この両折返片から更に両側へ延出される連設片や蓋部等が形成されて、全体として略筒状に折曲形成されるものであるため、一枚の厚紙から材料取りするに際し、厚紙材料を多く必要とし、展開状態では横長状となって効率的な材料取りを行い難く、折曲形成された組み立て後の構造も複雑になるという問題があった。
【０００７】
本発明は、上記従来の技術における問題を悉く解決するために発明されたもので、その課題は、被梱包物のコーナー部を保護することができ、しかも、簡単な構造で組み立て易く、材料取りも効率的に行われるようになる梱包用緩衝材を提供することである。
【０００８】
【課題を解決するための手段】
本発明の請求項１記載の梱包用緩衝材は、梱包箱内に収納される被梱包物を保護するためにこの被梱包物の各コーナー部と同梱包箱の各コーナー部との間に介在される梱包用緩衝材であって、被梱包物のコーナー部に沿うように折曲形成されて同被梱包物の隣り合う二つの外側面に当接する略Ｌ字状の対向部と、この対向部に同被梱包物の隣り合う二つの外側面間で跨がる切溝を設け、この切溝よりも上側の部分を内方へ折曲突出してこの折曲突出した部分の下端縁が同被梱包物の上面に当接する押え部と、前記対向部及び押え部の両側から梱包箱の隣り合う二つの内側面へ向かい延出してその各先端が同二つの内側面に当接する一対の延出部と、前記押え部の両側の上端縁から折曲して梱包箱の隣り合う二つの内側面へ向かい延出し、その各先端が同二つの内側面に当接するよう上下に重ね合わされる一対の蓋部と、を一枚の厚紙で折曲形成してなる。
【０００９】
したがって、この場合、対向部が被梱包物の隣り合う二つの外側面に当接すると共に押え部が同被梱包物の上面に当接し、同押え部及び延出部によってこの被梱包物は梱包箱の内面から間隔をあけた突っ張り状態で強固に保持され、同梱包箱のコーナー部も補強されて、同被梱包物のコーナー部が確実に保護される。しかも、押え部の両側の上端縁から折曲して梱包箱の隣り合う二つの内側面へ向かい延出し、その各先端が同二つの内側面に当接するよう上下に重ね合わされる一対の蓋部を有しているので、この上下に重ね合わされる一対の蓋部の先端が梱包箱の隣り合う二つの内側面に当接されて、被梱包物のコーナー部はより強固に保持され、梱包箱内のコーナー部での位置決めも容易且つ確実なものとなる。
【００１０】
又、前記のようなものが一枚の厚紙で折曲形成されるので、この折曲形成による組み立ては簡単で、展開状態で従来のように横長状とならないため、材料取りを効率的に行うことができ、折曲形成された組み立て後の構造も比較的簡単なものとなる。
【００１１】
本発明の請求項２記載の梱包用緩衝材は、上記請求項１記載の梱包用緩衝材において、一対の蓋部が上下に重ね合わされた状態で相互に係止する係合部を両蓋部の端縁部分に配設形成したことを特徴とする。
【００１２】
したがって、この場合は特に、両蓋部が上下に重ね合わされた状態で係合部が相互に係止されるので、同両蓋部は相互に連結されて上下に重ね合わされた状態で保持され、折曲形成されて組み立てられた後の形態が確保されて、被梱包物のコーナー部はより確実に保護される。
【００１３】
本発明の請求項３記載の梱包用緩衝材は、上記請求項２記載の梱包用緩衝材において、蓋部の端縁部分に一対の切り込みを形成し、この両切り込み間の部分を折曲して係合部を形成したことを特徴とする。
【００１４】
したがって、この場合は特に、蓋部の端縁部分に一対の切り込みを形成し、この両切り込み間の部分を折曲して前記係合部が形成されるので、この両係合部は容易に形成され、一方の係合部の両切り込み間の片部分を折曲して他方の係合部の両切り込み間の切欠部分に係止させることで、両者を相互に簡単且つ確実に係止することができる。
【００１５】
本発明の請求項４記載の梱包用緩衝材は、上記請求項３記載の梱包用緩衝材において、両切り込み間の巾寸法を蓋部の端縁側程巾広く形成したことを特徴とする。
【００１６】
したがって、この場合は特に、両切り込み間の巾寸法を蓋部の端縁側程巾広く形成しているので、一方の係合部の両切り込み間の片部分を折曲して他方の係合部の両切り込み間の切欠部分に係止させた際に、この切欠部分に係止された同片部分が抜け外れ難くなって、両者はより確実に係止される。
【００１７】
本発明の請求項５記載の梱包用緩衝材は、上記請求項１〜４のいずれか一つに記載の梱包用緩衝材において、対向部の中程折曲部分に梱包箱の隣り合う二つの内側面へ向かい突出する位置決め片を切り起こし形成して、この位置決め片の突出寸法を延出部の延出寸法と略等しくしたことを特徴とする。
【００１８】
したがって、この場合は特に、対向部の中程折曲部分から突出する位置決め片の突出寸法が延出部の延出寸法と略等しく形成されるので、この位置決め片の先端は梱包箱の内側面に当接することとなり、被梱包物がより確実に位置決めされる共に、この被梱包物は同梱包箱の内側面から間隔をあけた突っ張り状態でより強固に保持され、しかも、同位置決め片は切り起こし加工によって簡単に形成される。
【００１９】
本発明の請求項６記載の梱包用緩衝材は、上記請求項５記載の梱包用緩衝材において、対向部の中程折曲部分の一方側の上端縁及び他方側の下端縁から各々縦溝を形成し、この両縦溝の先端から同中程折曲部分にまで至る横溝を各々形成して、同縦溝と横溝とで囲まれる部分を切り起こして位置決め片を形成したことを特徴とする。
【００２０】
したがって、この場合は特に、対向部の上下で縦溝と横溝とで囲まれる部分を各々切り起こして、梱包箱の隣り合う二つの内側面へ向かい突出する一対の位置決め片を簡単に形成することができ、両位置決め片によって、被梱包物の位置決めはより確実となり、突っ張りによる強度も向上される。
【００２１】
【発明の実施の形態】
図１〜４は、本発明の請求項１〜４に対応した一実施形態である梱包用緩衝材Ｃを示し、この梱包用緩衝材Ｃは、梱包箱Ａ内に収納される被梱包物Ｂを保護するためにこの被梱包物Ｂの各コーナー部と同梱包箱Ａの各コーナー部との間に介在されるものである。
【００２２】
そして、この梱包用緩衝材Ｃでは、被梱包物Ｂのコーナー部に沿うように折曲形成されて同被梱包物Ｂの隣り合う二つの外側面１に当接する略Ｌ字状の対向部２と、この対向部２に同被梱包物Ｂの隣り合う二つの外側面１間で跨がる切溝３を設け、この切溝３よりも上側の部分を内方へ折曲突出してこの折曲突出した部分の下端縁が同被梱包物Ｂの上面４に当接する押え部５と、前記対向部２及び押え部５の両側から梱包箱Ａの隣り合う二つの内側面６へ向かい延出してその各先端縁７１が同二つの内側面６に当接する一対の延出部７と、前記押え部５の両側の上端縁から折曲して梱包箱Ａの隣り合う二つの内側面６へ向かい延出し、その各先端縁８１が同二つの内側面６に当接するよう上下に重ね合わされる一対の蓋部８と、を一枚の厚紙で折曲形成している。
【００２３】
又、この梱包用緩衝材Ｃでは、一対の蓋部８が上下に重ね合わされた状態で相互に係止する係合部９を両蓋部８の端縁部分に配設形成している。この場合、蓋部８の端縁部分に一対の切り込み１０を形成し、この両切り込み１０間の部分を折曲することで同係合部９を形成しており、この両切り込み１０間の巾寸法を同蓋部８の端縁側程巾広く形成してもいる。
【００２４】
以下、この実施形態をより具体的に説明する。この実施形態の梱包用緩衝材Ｃは、図１、２に示す如く、一面開口の梱包箱Ａ内に収納した住宅用分電盤である被梱包物Ｂを保護するこめに、この被梱包物Ｂの各コーナー部と同梱包箱Ａの各コーナー部との間、計四ヶ所に介在配置されるものである。
【００２５】
被梱包物Ｂとなる住宅用分電盤は、主幹開閉器や分岐開閉器を取着した下箱１５及びこの下箱１５の開口を塞ぐ上箱１６により構成されている。この上箱１６には、主幹開閉器のハンドルや分岐開閉器のハンドルを外部に突出させるための窓孔１７が形成されており、外部から各開閉器の開閉操作を行うことができるようになっている。そして、この住宅用分電盤である被梱包物Ｂは、その下面１８が梱包箱Ａの底面１９に当接して、その外側面１が同梱包箱Ａの内側面６に、その上面４が覆蓋片２０に、各々対向した状態で同梱包箱Ａ内に収納される。
【００２６】
前記梱包箱Ａはダンボール紙等の一枚の厚紙で折曲形成されたもので、上面が長方形状に開口した偏平箱型に形成され、同開口はその各開口辺から延出された四つの覆蓋片２０によって塞がれる。
【００２７】
次に、図３、４を用いて、梱包用緩衝材Ｃについて説明する。図３は、梱包用緩衝材Ｃが折曲形成されて組み立てられた後の状態を示し、図４は、同梱包用緩衝材Ｃが組み立てられる前の展開状態を示しており、図４中、折り曲げ線を一点鎖線で示し、切り込み線を実線で示している。梱包用緩衝材Ｃが展開された状態では、図４に示す如く、略正方形状となるもので、ダンボール紙等の一枚の厚紙であって、これを折曲形成することで、図３に示す如く、梱包用緩衝材Ｃとして組み立てられる。
【００２８】
この場合、図４に示す如く、略正方形状の厚紙の中心を横切り、押え部５の上端縁となる位置に折り曲げ線が設けられ、同中心から二つの蓋部８を分割形成するための切り込み線２１が形成され、この切り込み線２１と直線的に連続して対向部２の下端となる縁にまで至る折り曲げ線（中程折曲部分１１に対応）が設けられている。又、対向部２になる部分と押え部５になる部分との境界には、被梱包物Ｂの隣り合う二つの外側面１間で跨がる切溝３が形成され、この切溝３の両端よりも外側に延出部７が延設されており、この延出部７と同対向部２になる部分との境界には折り曲げ線が設けられている。
【００２９】
そして、前記厚紙の中心を横切る折り曲げ線で両蓋部８になる部分を背方へ折り曲げ、この両蓋部８が上下に重なるように前記中程折曲部分１１に対応する折り曲げ線でその両側を背方へ折り曲げ、同中程折曲部分１１に対応する折り曲げ線の部分が背方へ折曲突出されるように対向部２となる部分を折り曲げることで、図３に示す如く、梱包用緩衝材Ｃが折曲形成して組み立てられる。組み立てられた梱包用緩衝材Ｃは、上面が両蓋部８で、隣り合う二側面が押え部５及び延出部７で包囲された形状となり、対向部２の部分が背方へ折曲突出されて凹み、この凹んだ部分に被梱包物Ｂのコーナー部が収容保持される。
【００３０】
この場合、両延出部７の先端縁７１と両蓋部８の先端縁８１及び側端縁８２とが梱包箱Ａの隣り合う二つの内側面６に当接されて、梱包用緩衝材Ｃは同梱包箱Ａ内のコーナー部に位置決め設置される。又、下側となる一方の蓋部８の側端縁８２と上側に重ねられる他方の蓋部８の先端縁８１とには、相互に係合される係合部９が形成されている。この係合部９はその両側に切り込み１０が設けられることで形成され、両切り込み１０間の巾寸法は端縁側程巾広く形成されている。
【００３１】
そして、上側に位置する係合部９の両切り込み１０間の片部分が下方へ折曲されて、下側に位置する係合部９の両切り込み１０間の片部分を下方へ押しやり、この下側に位置する係合部９の両切り込み１０間の切欠部分に同上側に位置する係合部９の両切り込み１０間の片部分が入り込んで、両係合部９は相互に係止される。その際、係合部９の両切り込み１０間の巾寸法が端縁側程巾広く形成されていることにより、両切り込み１０間の切欠部分に入り込んだ片部分は抜け外れ難く、両係合部９が確実に係止される。
【００３２】
又、前記対向部２の高さ寸法は被梱包物Ｂの上下厚さ寸法と略等しく設定されていて、この凹んだ対向部２には同被梱包物Ｂのコーナー部ががたつきなく納まる。この状態で、被梱包物Ｂのコーナー部両側の外側面１が対向部２の両内面に当接され、同コーナー部の上面４には押え部５の下端縁（切溝３の部分）が当接されて押え保持され、この被梱包物Ｂのコーナー部は梱包箱Ａ内のコーナー部に位置決めされた状態で確実に保持される。
【００３３】
したがって、この実施形態の梱包用緩衝材Ｃにおいては、対向部２の両内面が被梱包物Ｂの隣り合う二つの外側面１に当接すると共に、押え部５の下端縁が同被梱包物Ｂの上面に当接し、同押え部５及び延出部７によってこの被梱包物Ｂは梱包箱Ａの内面から間隔をあけた突っ張り状態で強固に保持され、同梱包箱Ａのコーナー部も補強されて、同被梱包物Ｂのコーナー部が確実に保護される。
【００３４】
しかも、押え部５の両側の上端縁から折曲して梱包箱Ａの隣り合う二つの内側面６へ向かい延出し、その各先端縁８１が同二つの内側面６に当接するよう上下に重ね合わされる一対の蓋部８を有しているので、この上下に重ね合わされる一対の蓋部８の先端縁８１が梱包箱Ａの隣り合う二つの内側面６に当接されて、被梱包物Ｂのコーナー部はより強固に保持され、梱包箱Ａ内のコーナー部での位置決めも容易且つ確実なものとなる。
【００３５】
又、前記のようなものが一枚のダンボール等の厚紙で折曲形成して組み立てられるので、この折曲形成による組み立ては簡単で、展開状態で従来のように横長状とならず略正方形状となるため、材料取りを効率的に行うことができ、折曲形成された組み立て後の構造も比較的簡単なものとなる。
【００３６】
更に、この実施形態の梱包用緩衝材Ｃにおいては、両蓋部８が上下に重ね合わされた状態で係合部９が相互に係止されるので、同両蓋部８は相互に連結されて上下に重ね合わされた状態で保持され、折曲形成されて組み立てられた後の形態が確保されて、被梱包物Ｂのコーナー部はより確実に保護される。
【００３７】
しかも、この場合、蓋部８の端縁部分に一対の切り込み１０を形成し、この両切り込み１０間の部分を折曲して前記係合部９が形成されるので、この両係合部９は容易に形成され、一方の係合部９の両切り込み１０間の片部分を折曲して他方の係合部９の両切り込み１０間の切欠部分に係止させることで、両者を相互に簡単且つ確実に係止することができる。
【００３８】
又、この場合、両切り込み１０間の巾寸法を蓋部８の端縁側程巾広く形成しているので、一方の係合部９の両切り込み１０間の片部分を折曲して他方の係合部９の両切り込み１０間の切欠部分に係止させた際に、この切欠部分に係止された同片部分が抜け外れ難くなって、両者はより確実に係止される。
【００３９】
図５、６は、本発明の請求項１〜６全てに対応した別の実施形態である梱包用緩衝材Ｃを示している。この梱包用緩衝材Ｃでは、対向部２の中程折曲部分１１に梱包箱Ａの隣り合う二つの内側面６へ向かい突出する位置決め片１２を切り起こし形成して、この位置決め片１２の突出寸法Ｌ１を延出部７の延出寸法Ｌ２と略等しく設定している。しかも、この場合、対向部２の中程折曲部分１１の一方側の上端縁及び他方側の下端縁から各々縦溝１３を形成し、この両縦溝１３の先端から同中程折曲部分１１にまで至る横溝１４を各々形成して、同縦溝１３と横溝１４とで囲まれる部分を切り起こして位置決め片１２を形成してもいる。
【００４０】
したがって、この実施形態の梱包用緩衝材Ｃにおいては、対向部２の中程折曲部分１１から突出する位置決め片１２の突出寸法Ｌ１が延出部７の延出寸法Ｌ２と略等しく形成されるので、この位置決め片１２の先端は梱包箱Ａの内側面６に当接することとなり、被梱包物Ｂがより確実に位置決めされる共に、補強作用もより向上されて、この被梱包物Ｂは同梱包箱Ａの内側面６から間隔をあけた突っ張り状態でより強固に保持され、しかも、同位置決め片１２が切り起こし加工によって簡単に形成されるものでもある。
【００４１】
更に、この実施形態の梱包用緩衝材Ｃにおいては、対向部２の上下で縦溝１３と横溝１４とで囲まれる部分を各々切り起こして、梱包箱Ａの隣り合う二つの内側面６へ向かい突出する一対の位置決め片１２を簡単に形成することができ、両位置決め片１２によって、被梱包物Ｂの位置決めはより確実となり、突っ張りによる強度も向上される。なお、それ以外は、上記図１〜４に示した実施形態と同様に構成され、同上記実施形態におけると同様の作用効果が奏されるので、ここでは、その説明を省略する。
【００４２】
図７、８は、本発明の請求項１、２に対応した更に別の実施形態である梱包用緩衝材Ｃを示している。この梱包用緩衝材Ｃでは、上記図１〜４に示した実施形態及び上記図５、６に示した実施形態とは係合部９の構成が相違し、又、上記図５、６に示した実施形態における位置決め片１２とは異なる手段構成によって、同図５、６に示した実施形態におけると同様の作用効果が奏されるようになした点が同図５、６に示した実施形態と相違している。
【００４３】
すなわち、図８に示す如く、両蓋部８の外側端縁に沿ってその先端縁８１から厚紙の中心を横切る折り曲げ線にまで至る切り込み線２２を形成し、この切り込み線２２よりも外側の部分を突っ張り片２３として、図７に示す如く、同折り曲げ線で背方へ更に斜め下方に折り曲げている。突っ張り片２３の巾寸法Ｌ３は延出部７の延出寸法Ｌ２と略等しく設定されており、この両突っ張り片２３の外側端縁が梱包箱Ａの隣り合う二つの内側面６に各々当接されるものである。
【００４４】
この場合、下側に位置する蓋部８から切り離された一方の突っ張り片２３は、その先端部分が対向部２の中程折曲部分１１に切り起こし形成された係止片２５に係止されることで、斜め下方に折り曲げられた状態を保持している。ここで、係止片２５は、図８に示す如く、対向部２の中程折曲部分１１に対応する折り曲げ線の中程部に略コ字状の切欠溝２６を形成し、この切欠溝２６で囲まれる部分を切り起こすことで形成されている。
【００４５】
又、上側に重ねられる蓋部８から切り離された他方の突っ張り片２３は、その基端部分が前記一方の蓋部８の先端縁８１付近に切り込み形成された切欠凹部２７の下側に挿通係止されることで、斜め下方に折り曲げられた状態を保持している。ここでは、図８に示す如く、両蓋部８を分割形成するための切り込み線２１の先端付近に略Ｌ字状の切り込み線を設けることで、切欠凹部２７が形成されている。
【００４６】
そして、前記下側に位置する蓋部８の先端縁８１の切り込み線２２側を係合部９となる片状部分として切り起こし形成し、この上方に折曲された片状部分を、前記上側に重ねられる蓋部８の切り込み線２２による端縁に係止させることで、この係止部分が係合部９となって、同一対の蓋部８は上下に重ね合わされた状態で相互に同係合部９を介して係止連結され保持される。ここで、係合部９となる片状部分は、図８に示す如く、前記切り込み線２２から蓋部８側に切り込み溝２４を形成して、この切り込み溝２４を同蓋部８の先端縁８１側へ傾斜するように切り込ませ、同切り込み溝２４よりも先端縁８１側の部分を切り起こすことで形成され、同係合部９となる片状部分の切り込み溝２４による端縁が、前記上側に重ねられる蓋部８の切り込み線２２による端縁に係止される。
【００４７】
したがって、この実施形態の梱包用緩衝材Ｃにおいては、両蓋部８が上下に重ね合わされた状態で係合部９を介して相互に係止連結されるので、同両蓋部８は相互に連結されて上下に重ね合わされた状態で保持され、折曲形成されて組み立てられた後の形態が確保されて、被梱包物Ｂのコーナー部はより確実に保護される。しかも、この場合、蓋部８に切り込み線２２及び切り込み溝２４を設けることで係合部９は容易に形成され、この係合部９となる片状部分を折り曲げることによって同係合部９の部分を相互に簡単且つ確実に係止させることができる。又、その際、切り込み溝２４が蓋部８の先端縁８１側へ傾斜しているので、係合部９となる片状部分は外れ難く、同係合部９での係止がより確実となる。
【００４８】
更に、この実施形態の梱包用緩衝材Ｃにおいては、突っ張り片２３の巾寸法Ｌ３が延出部７の延出寸法Ｌ２と略等しく形成されるので、この両突っ張り片２３の外側端縁は梱包箱Ａの隣り合う二つの内側面６に各々当接することとなり、被梱包物Ｂがより確実に位置決めされる共に、補強作用もより向上されて、この被梱包物Ｂは同梱包箱Ａの内側面６から間隔をあけた突っ張り状態でより強固に保持されるものである。なお、それ以外は、上記図１〜４に示した実施形態と同様に構成され、同上記実施形態におけると同様の作用効果が奏されるので、ここでは、その説明を省略する。
【００４９】
【発明の効果】
上述の如く、本発明の請求項１記載の梱包用緩衝材においては、被梱包物が梱包箱の内面から間隔をあけた突っ張り状態で強固に保持され、同梱包箱のコーナー部も補強されて、同被梱包物のコーナー部が確実に保護され、しかも、上下に重ね合わされる一対の蓋部によって、被梱包物のコーナー部はより強固に保持され、梱包箱内のコーナー部での位置決めも容易且つ確実なものとなり、又、展開状態で横長状とならないため、材料取りを効率的に行うことができ、組み立ては簡単で、組み立て後の構造も比較的簡単なものとなる。
【００５０】
又、本発明の請求項２記載の梱包用緩衝材においては、特に、両蓋部が上下に重ね合わされた状態で係合部の相互の係止により連結されて、組み立てられた後の形態は確保され、被梱包物のコーナー部がより確実に保護される。
【００５１】
又、本発明の請求項３記載の梱包用緩衝材においては、特に、一対の切り込みによって両係合部が容易に形成され、一方の係合部の両切り込み間の片部分を折曲して他方の係合部の両切り込み間の切欠部分に係止させることで、両者を相互に簡単且つ確実に係止することができる。
【００５２】
又、本発明の請求項４記載の梱包用緩衝材においては、特に、一方の係合部の両切り込み間の片部分を折曲して他方の係合部の両切り込み間の切欠部分に係止させた際に、この切欠部分に係止された同片部分が抜け外れ難くなって、両者はより確実に係止される。
【００５３】
又、本発明の請求項５記載の梱包用緩衝材においては、特に、位置決め片の先端が梱包箱の内側面に当接されて、被梱包物はより確実に位置決めされ、この被梱包物がより強固に保持され、しかも、同位置決め片は切り起こし加工によって簡単に形成される。
【００５４】
又、本発明の請求項６記載の梱包用緩衝材においては、特に、対向部の上下で梱包箱の隣り合う二つの内側面へ向かって突出する一対の位置決め片を簡単に形成することができ、両位置決め片によって、被梱包物の位置決めはより確実となり、突っ張りによる強度も向上される。
【図面の簡単な説明】
【図１】本発明の一実施形態である梱包用緩衝材と梱包箱及び被梱包物との配置関係を示す斜視図。
【図２】同梱包用緩衝材と被梱包物との配置関係を示す斜視図。
【図３】同梱包用緩衝材を示す背方からみた斜視図。
【図４】同梱包用緩衝材の展開状態を示す正面図。
【図５】別の実施形態である梱包用緩衝材を示す背方からみた斜視図。
【図６】同梱包用緩衝材の展開状態を示す正面図。
【図７】更に別の実施形態である梱包用緩衝材を示す背方からみた斜視図。
【図８】同梱包用緩衝材の展開状態を示す背面図。
【符号の説明】
Ａ　梱包箱
Ｂ　被梱包物
Ｃ　梱包用緩衝材
１　外側面
２　対向部
３　切溝
４　上面
５　押え部
６　内側面
７　延出部
８　蓋部
９　係合部
１０　切り込み
１１　中程折曲部分
１２　位置決め片
１３　縦溝
１４　横溝
【図１】
2004051151.tif 000003
【図２】
2004051151.tif 000004
【図３】
2004051151.tif 000005
【図４】
2004051151.tif 000006
【図５】
2004051151.tif 000007
【図６】
2004051151.tif 000008
【図７】
2004051151.tif 000009
【図８】
2004051151.tif 000010